(57)【要約】【課題】回転体の回転規制をより正確に行うことができる遊技球入賞装置を提供すること。【解決手段】遊技球入賞装置１は、起立状態と傾倒状態とを形成するよう回動可能な一対の可動翼片２と、一対の可動翼片２同士の間に入った遊技球８を流下させる球通路３と、一対の可動翼片２が起立状態と傾倒状態とになることを制御する回転体４と、回転体４に設けた接触片４１と接触して回転体４の回転位置を規制する制動部材７とを有している。回転体４は、接触片４１を回転体４の周方向Ｒに複数設けてなり、複数の接触片４１は、回転体４の軸方向にずれた複数の軸方向領域部にそれぞれ設けられている。制動部材７は、複数の軸方向領域部にそれぞれ対向するよう複数設けられている。【選択図】図１
2006043059.tif 000002
【特許請求の範囲】
【請求項１】
起立状態と傾倒状態とを形成するよう回動可能な可動翼片と、
該可動翼片を通じて受け入れられた遊技球を流下させる球通路と、
該球通路内を流下する遊技球と接触して回転し、上記可動翼片が上記起立状態と上記傾倒状態とになることを制御する回転体と、
該回転体と接触して、該回転体の回転位置を規制する制動部材とを有する遊技球入賞装置において、
上記回転体は、上記制動部材と接触して当該回転体の回転を制動させる接触片を有しており、該接触片は、当該回転体の周方向にずれた位置に複数設けられていると共に、当該回転体の軸方向にずれた複数の軸方向領域部に分けて設けられており、
上記制動部材は、上記複数の軸方向領域部にそれぞれ対向するよう複数設けられていることを特徴とする遊技球入賞装置。
【請求項２】
請求項１において、上記接触片は、その少なくとも１つが上記球通路内を流下する遊技球と接触して当該回転体を回転させる機能を備えていることを特徴とする遊技球入賞装置。
【発明の詳細な説明】
【技術分野】
【０００１】
本発明は、パチンコ遊技機、アレンジボール遊技機等において、可動翼片に流下した遊技球を入賞させることができる遊技球入賞装置に関する。
【背景技術】
【０００２】
例えば、パチンコ遊技機においては、遊技者がパチンコ遊技を行う遊技盤の前面には、一対の可動翼片の間に遊技球を入賞させることができる遊技球入賞装置が複数設けられている。この遊技球入賞装置としては、例えば、特許文献１に示すパチンコ機用セーフ球受口器がある。
【０００３】
特許文献１のセーフ球受口器は、起立及び傾動自由な一対の開閉翼片と、この開閉翼片間を通る遊技球により回転して、開閉翼片の起立と傾動とを制御する回転体と、導入開口から内部に入る遊技球を受けて揺動し、回転体を回転させるレバー作動体とを有している。また、レバー作動体の上方には、その揺動を拘束する可動拘束部材を配設している。この可動拘束部材は、導入開口へ流下した遊技球と接触したときに、レバー作動体の揺動を許容するようになっている。そして、導入開口へ遊技球が流下したときだけ、レバー作動体が揺動できるようにしており、外部からの衝撃等によってレバー作動体が揺動しないようにしている。
【０００４】
また、上記回転体は、上記開閉翼片間を通る遊技球と接触することができる球係合片を等間隔に複数有しており、セーフ球受口器には、各球係合片と順次圧接して、回転体の回転を制動する板バネが配設されている。そして、この板バネの圧接作用によって、回転体が各球係合片の間の所定角度づつ正しく回転するよう規制している。
【０００５】
しかしながら、上記特許文献１のセーフ球受口器においては、１つの板バネがすべての球係合片と順次圧接して、回転体の回転規制を行う。そして、回転体は、球係合片が板バネを弾性変形させながら回転し、板バネは、その弾性変形が復帰した直後に次の球係合片と圧接することになる。そのため、開閉翼片間に勢いよく遊技球が入る場合や、球係合片の個数が多くなった場合等には、遊技球の勢いによって板バネが続けて弾性変形してしまい、回転体が所定の回転位置で止まることなく次の回転位置まで余分に回転してしまうおそれがある。
【０００６】
【特許文献１】実公平５−２４３７９号公報
【発明の開示】
【発明が解決しようとする課題】
【０００７】
本発明は、かかる従来の問題点に鑑みてなされたもので、回転体の回転規制をより正確に行うことができる遊技球入賞装置を提供しようとするものである。
【課題を解決するための手段】
【０００８】
本発明は、起立状態と傾倒状態とを形成するよう回動可能な可動翼片と、
該可動翼片を通じて受け入れられた遊技球を流下させる球通路と、
該球通路内を流下する遊技球と接触して回転し、上記可動翼片が上記起立状態と上記傾倒状態とになることを制御する回転体と、
該回転体と接触して、該回転体の回転位置を規制する制動部材とを有する遊技球入賞装置において、
上記回転体は、上記制動部材と接触して当該回転体の回転を制動させる接触片を有しており、該接触片は、当該回転体の周方向にずれた位置に複数設けられていると共に、当該回転体の軸方向にずれた複数の軸方向領域部に分けて設けられており、
上記制動部材は、上記複数の軸方向領域部にそれぞれ対向するよう複数設けられていることを特徴とする遊技球入賞装置にある（請求項１）。
【０００９】
本発明の遊技球入賞装置においては、上記回転体における接触片を、当該回転体の軸方向にずれた複数の軸方向領域部にそれぞれ設け、この各軸方向領域部にそれぞれ対向するように、上記制動部材を複数設けている。
上記遊技球入賞装置を動作させる際には、いずれかの制動部材がいずれかの接触片と接触して回転体の正回転方向への回転を規制している状態においては、他の制動部材が、他の接触片と回転体の正回転方向への回転を規制するような接触をすることなく、静止した状態で待機している。
なお、回転体の正回転方向とは、球通路内を流下する遊技球が接触片と接触して回転体を回転させることができる回転方向のことをいう。
【００１０】
そして、いずれかの接触片に接触した状態の制動部材を移動させながら回転体が回転したときには、静止した状態の他の制動部材が、他の接触片を受け止めて回転体の回転を制動することができる。そのため、回転体が勢いよく回転するような場合においても、この回転体が所定の回転位置で止まることなく次の回転位置まで余分に回転してしまうことを防止することができる。
それ故、本発明の遊技球入賞装置によれば、複数の制動部材によって回転体の回転位置の規制をより正確に行うことができる。
【発明を実施するための最良の形態】
【００１１】
上述した本発明における好ましい実施の形態につき説明する。
本発明において、上記接触片は、その少なくとも１つが上記球通路内を流下する遊技球と接触して当該回転体を回転させる機能を備えていることが好ましい（請求項２）。
この場合には、上記接触片は、回転体を回転させる機能と回転体の回転を制動させる機能のいずれの機能をも備えることができる。そのため、接触片の個数を必要最小限にして、回転体の構造を簡単にすることができる。
【００１２】
また、上記接触片は、上記球通路内を流下する遊技球と接触して当該回転体を回転させる機能と上記制動部材と接触して当該回転体の回転を制動させる機能との両機能を備えた接触駆動片と、上記制動部材と接触して当該回転体の回転を制動させる機能のみを備えた接触制動片とから構成することができる。
この場合には、例えば、接触駆動片と接触制動片とを、当該回転体の周方向にずれた位置に設けると共に、当該回転体の軸方向にずれた複数の軸方向領域部に分けて設けることができる。そして、上記複数の軸方向領域部にそれぞれ対向するよう設けられた各制動部材を、接触駆動片又は接触制動片に順次接触させて、当該回転体の回転を制動することができる。また、この場合には、例えば、接触駆動片は、当該回転体における同じ軸方向領域部において、当該回転体の周方向にずれた位置に複数設けることができる。
【００１３】
また、上記接触片は、上記球通路内を流下する遊技球と接触して当該回転体を回転させる機能のみを備えた単独接触駆動片と、上記制動部材と接触して当該回転体の回転を制動させる機能のみを備えた接触制動片とから構成することもできる。
この場合には、例えば、上記接触制動片を、当該回転体の周方向にずれた位置に複数設けると共に、当該回転体の軸方向にずれた複数の軸方向領域部に分けて設けることができる。そして、上記複数の軸方向領域部にそれぞれ対向するよう設けられた各制動部材を、各接触制動片に順次接触させて、当該回転体の回転を制動することができる。また、この場合にも、例えば、単独接触駆動片は、当該回転体における同じ軸方向領域部において、当該回転体の周方向にずれた位置に複数設けることができる。
【００１４】
また、上記制動部材は、弾性変形可能な板バネであり、該板バネは、その先端部分が上記回転体から離れる方向に向けて屈曲していることが好ましい。
この場合には、制動部材としての板バネは、その弾性変形による付勢力を回転体に作用させて、回転体の回転位置の規制を行うことができる。そのため、制動部材の構成を極めて簡単にすることができる。また、制動部材としての板バネが屈曲していることにより、その剛性を高くすることができる。また、上記屈曲した板バネの先端部分を、回転体の接触駆動片又は接触制動片と接触させることにより、板バネを弾性変形させることが容易になる。
【実施例】
【００１５】
以下に、本発明の遊技球入賞装置にかかる実施例につき、図面と共に説明する。
本例の遊技球入賞装置１は、図１、図７に示すごとく、起立状態２０１と傾倒状態２０２とを形成するよう回動可能な一対の可動翼片２と、この一対の可動翼片２同士の間に入った遊技球８を流下させる球通路３とを有している。また、遊技球入賞装置１は、球通路３内を流下する遊技球８と接触して回転し一対の可動翼片２が起立状態２０１と傾倒状態２０２とになることを制御する回転体４と、この回転体４に設けた接触片４１と接触して回転体４の回転位置を規制する制動部材７と、当該遊技球入賞装置１の上方（後述する連動通路３５）から流下する遊技球８の自重を受けて回動し、回転体４を押圧して回転させることができるレバー部材５とを有している。
【００１６】
上記回転体４は、図７〜図９に示すごとく、上記接触片４１を当該回転体４の周方向Ｒに複数設けてなる。複数の接触片４１は、球通路３内を流下する遊技球８と接触して当該回転体４を回転させる機能を備えた接触駆動片４１Ａ、Ｂと、制動部材７と接触して当該回転体４の回転を制動させる機能を備えた接触制動片４１Ｃとからなる。
また、接触駆動片４１Ａ、Ｂと接触制動片４１Ｃとは、当該回転体４の周方向Ｒにずれた位置に設けられていると共に、当該回転体４の軸方向Ｌにずれた複数の軸方向領域部４５に分けて設けられている。そして、上記制動部材７は、上記複数の軸方向領域部４５にそれぞれ対向するよう複数設けられている。
以下に、これを詳説する。
【００１７】
本例の遊技球入賞装置１は、パチンコ遊技機に用いるものであり、パチンコ遊技機においてパチンコ遊技を行う遊技領域を形成する遊技盤の前面に配設される（図示略）。
図１、図５、図６に示すごとく、遊技球入賞装置１は、一対の可動翼片２、回転体４及びレバー部材５を配設してなるケース１１を有している。また、一対の可動翼片２はケース１１の前面側に配設されており、回転体４及びレバー部材５はケース１１内に配設されている。また、球通路３は、ケース１１内に形成されている。
【００１８】
また、図１に示すごとく、球通路３は、一対の可動翼片２の下方から後方に向けて形成されており、回転体４は、球通路３の上方に配設されている。また、レバー部材５は、回転体４の後方に配設されている。
また、ケース１１には、遊技球入賞装置１を遊技盤の前面に取り付けるための取付部１１１が形成されている。
【００１９】
また、一対の可動翼片２は、それらの間に遊技球入賞装置１における入賞口２０を形成しており、図５に示すごとく、起立した状態で入賞口２０の閉状態２０１を形成し、図６に示すごとく、傾倒した状態で入賞口２０の開状態２０２を形成する。以下に、一対の可動翼片２が起立状態２０１にあるときを入賞口２０の閉状態２０１といい、一対の可動翼片２が傾倒状態２０２にあるときを入賞口２０の開状態２０２ということがある。
【００２０】
図１、図７、図８に示すごとく、上記回転体４は、各可動翼片２の裏面側に設けられた接触突出部２１にそれぞれ接触し、各可動翼片２を起立状態２０１と傾倒状態２０２との間で変更させるための一対の制御突出片４２を有している。各制御突出片４２は、各可動翼片２における接触突出部２１と接触して、各可動翼片２が傾倒状態２０２になることを阻止すると共に、各可動翼片２における接触突出部２１と接触して、各可動翼片２を傾倒状態２０２から起立状態２０１に起立させるよう構成されている。
【００２１】
図１０〜図１２に示すごとく、上記回転体４における複数の接触片４１は、球通路３内を流下する遊技球８と接触可能な複数の接触駆動片４１Ａ、Ｂと、球通路３内を流下する遊技球８と接触不能な接触制動片４１Ｃとからなる。
各接触駆動片４１Ａ、Ｂは、球通路３内に突出するよう形成されており、上記球通路３内を流下する遊技球８と接触して、この遊技球８の流下動作を回転体４の回転動作として伝達するよう構成されている。そして、回転体４は、接触駆動片４１Ａ、Ｂが球通路３内を流下する遊技球８によって押圧されて、所定の角度を回転することができる。
【００２２】
また、本例の回転体４には、２つの接触駆動片４１Ａ、Ｂが設けられており、１つは、レバー部材５と接触可能な第１接触駆動片４１Ａであり、他の１つは、レバー部材５と接触不能な第２接触駆動片４１Ｂである。
また、本例の２つの接触駆動片４１Ａ、Ｂは、いずれも球通路３内を流下する遊技球８と接触して当該回転体４を回転させる機能と、制動部材７と接触して当該回転体４の回転を制動させる機能とを備えている。
【００２３】
また、図８、図９に示すごとく、本例においては、上記回転体４をその軸方向Ｌにおいて区画した複数の軸方向領域部４５は、上記複数の接触駆動片４１Ａ、Ｂを配設した第１領域部４５Ａと、上記接触制動片４１Ｃを配設した第２領域部４５Ｂとからなる。軸方向領域部４５は、制御突出片４２同士の間に形成されており、第１領域部４５Ａは、回転体４の軸方向Ｌにおける中心部を含めて区画されており、第２領域部４５Ｂは上記中心部を除く残部として区画されている。
【００２４】
また、図８、図９に示すごとく、上記制動部材７は、回転体４における第１領域部４５Ａに対向する第１制動部材７Ａと、第２領域部４５Ｂに対向する第２制動部材７Ｂとからなる。各制動部材７は、回転体４の上方に配設された弾性変形可能な板バネ７である。この板バネ７は、その弾性変形による付勢力を回転体４に作用させて、回転体４の回転位置の規制を行うことができるものである。
【００２５】
図１、図９に示すごとく、上記各板バネ７は、その上端部がケース１１に固定されていると共にその下端部が自由状態にある。また、板バネ７は、下端部側に位置する先端部分７２が回転体４から離れる方向に向けて屈曲している。
より具体的には、図９、図１０に示すごとく、板バネ７は、上端部側に位置するバネ上部７１と、このバネ上部７１に対して回転体４から離れる方向に向けて屈曲した先端部分７２としてのバネ下部７２とから構成されている。そして、バネ上部７１とバネ下部７２とが屈曲していることにより、板バネ７の剛性を高くすることができる。また、バネ下部７２を、回転体４の接触片４１と接触させることにより、板バネ７を弾性変形させることが容易である。
【００２６】
また、図１０〜図１２に示すごとく、本例の回転体４は、３つの回転位置４０１、４０２Ａ、４０２Ｂにおいて停止するよう構成されており、約１２０°ずつ回転して停止するよう構成されている。すなわち、回転体４においては、２つの接触駆動片４１Ａ、Ｂと１つの接触制動片４１Ｃとが周方向Ｒにおいて約１２０°ずつ間隔をおいて形成されている。
また、上記制御突出片４２は、回転体４の周方向Ｒにおける一部に形成されており、回転体４の周方向Ｒにおける第２接触駆動片４１Ｂと接触制動片４１Ｃとの間の位置に形成されている。
【００２７】
また、回転体４は、図１０に示すごとく、各制御突出片４２が各可動翼片２における接触突出部２１に接触し、各可動翼片２が傾倒状態２０２になることを阻止する傾倒阻止回転位置４０１と、図１１、図１２に示すごとく、各接触片４１が球通路３内を流下する遊技球８と接触する２つの傾倒許容回転位置４０２（第１傾倒許容回転位置４０２Ａ及び第２傾倒許容回転位置４０２Ｂ）とに回転可能である。
【００２８】
ここで、図１０〜図１２は、（ａ）が、回転体４における第１領域部４５Ａと第１制動部材７Ａとが対向する状態を示し、（ｂ）が、回転体４における第２領域部４５Ｂと第２制動部材７Ｂとが対向する状態を示している。
なお、以下の説明において、回転体４の正回転方向とは、球通路３内を流下する遊技球８が回転体４を回転させることができる回転方向のことをいい、逆回転方向とは、正回転方向と逆の回転方向のことをいう。
【００２９】
図１、図１０に示すごとく、回転体４が傾倒阻止回転位置４０１にある状態においては、回転体４の制御突出片４２が可動翼片２の接触突出部２１と接触しており、一対の可動翼片２が起立状態２０１にある。また、回転体４は、第１接触駆動片４１Ａのバネ下部７２が第１制動部材７Ａに接触することによって、正回転方向への回転が規制され、第２接触駆動片４１Ｂが第１制動部材７Ａのバネ上部７１に接触することによって、逆回転方向への回転が規制されている。また、回転体４の接触制動片４１Ｃが球通路３の方向を向いており、この接触制動片４１Ｃは球通路３内を流下する遊技球８と接触しない位置にある。また、回転体４の第１接触駆動片４１Ａにレバー部材５が接触可能である。
【００３０】
図３、図１１に示すごとく、回転体４が第１傾倒許容回転位置４０２Ａにある状態においては、回転体４の制御突出片４２が可動翼片２の接触突出部２１と接触しておらず、一対の可動翼片２が傾倒状態２０２にある。また、回転体４は、接触制動片４１Ｃが第２制動部材７Ｂのバネ下部７２に接触することによって、正回転方向への回転が規制され、第１接触駆動片４１Ａが第１制動部材７Ａのバネ上部７１に接触することによって、逆回転方向への回転が規制されている。また、回転体４の第２接触駆動片４１Ｂが球通路３内に突出しており、この第２接触駆動片４１Ｂは球通路３内を流下する遊技球８と接触する位置にある。
【００３１】
図４、図１２に示すごとく、回転体４が第２傾倒許容回転位置４０２Ｂにある状態においては、回転体４の制御突出片４２が可動翼片２の接触突出部２１と接触しておらず、一対の可動翼片２が傾倒状態２０２にある。また、回転体４は、第２接触駆動片４１Ｂが第１制動部材７Ａのバネ下部７２に接触することによって、正回転方向への回転が規制され、接触制動片４１Ｃが第２制動部材７Ｂのバネ上部７１に接触することによって、逆回転方向への回転が規制されている。また、回転体４の第１接触駆動片４１Ａが球通路３内に突出しており、この第１接触駆動片４１Ａは球通路３内を流下する遊技球８と接触する位置にある。
【００３２】
また、図１、図２に示すごとく、上記レバー部材５は、その回動支点となる回動支点部５３と、遊技球入賞装置１の上方から流下する遊技球８を受け止めるための球受部５１と、回転体４における第１接触駆動片４１Ａを押圧するための押圧部５２とを有している。球受部５１と押圧部５２とは、回動支点部５３に対して互いに反対側に形成されている。また、球受部５１は、遊技球入賞装置１の後部に配置されており、押圧部５２は、回転体４における第１接触駆動片４１Ａと接触することができる位置に形成されている。
【００３３】
また、レバー部材５の上方には、このレバー部材５と係合してレバー部材５の回動を規制することができる回動ロック部材６が配設されている。この回動ロック部材６は、回動支点部６３を中心に回動可能であり、球受部５１に流下する遊技球８と接触することができる接触突起部６１と、レバー部材５と接触してレバー部材５が回動することを阻止することができる回動阻止部６２とを有している。
また、上記ケース１１には、その後部において、上方から流下する遊技球８をレバー部材５の球受部５１に導くための連動通路３５が形成されている。
【００３４】
以下に、上記遊技球入賞装置１の動作及び作用効果につき説明する。
図１、図５、図１０に示すごとく、遊技球入賞装置１は、上記一対の可動翼片２が起立状態２０１にあるときには、上記回転体４が傾倒阻止回転位置４０１にあり、一対の可動翼片２は、回転体４によって傾倒状態２０２になることを阻止されている。
すなわち、このときには、各可動翼片２は、その接触突出部２１が回転体４における制御突出片４２に接触していることにより起立状態２０１が保持されており、自重により傾倒状態２０２になることが阻止されている。
【００３５】
また、図１、図１０に示すごとく、回転体４における第１接触駆動片４１Ａと第１制動部材７Ａとが接触しており、第１制動部材７Ａによる押圧力によって、回転体４の回転位置が傾倒阻止回転位置４０１に規制されている。また、レバー部材５は、回動ロック部材６によって、球通路３内を流下する遊技球８ではなく、外部からの振動等により不意に回動しないようになっている。
【００３６】
そして、閉状態２０１の入賞口２０、すなわち起立状態２０１にある一対の可動翼片２同士の間に入った遊技球８が球通路３を流下するときには、この遊技球８は、回転体４と接触することなく球通路３内を流下する。そのため、本例の遊技球入賞装置１は、一対の可動翼片２を起立状態２０１に維持したまま、遊技球８を入賞させることができる。
【００３７】
次いで、図２に示すごとく、遊技球入賞装置１の上方から連動通路３５を介してレバー部材５における球受部５１に遊技球８が流下するときには、この遊技球８は回動ロック部材６における接触突起部６１に接触して、回動ロック部材６を回動させた後、球受部５１に載置される。これにより、回動ロック部材６における回動阻止部６２とレバー部材５との係合状態が外れ、球受部５１に載置された遊技球８の自重によりレバー部材５が回動する。
【００３８】
この回動のとき、レバー部材５における押圧部５２が、回転体４における第１接触駆動片４１Ａを押圧し、その後、レバー部材５における球受部５１に載置された遊技球８が排出される。
これにより、図３に示すごとく、回転体４が、第１制動部材７Ａの付勢力に抗して、傾倒阻止回転位置４０１から第１傾倒許容回転位置４０２Ａへ回転する。そして、回転体４における各制御突出片４２と、各可動翼片２における接触突出部２１との接触状態が外れ、各可動翼片２が、自重により起立状態２０１から傾倒状態２０２へと回動する。
【００３９】
また、図１０、図１１に示すごとく、回転体４が、第１接触駆動片４１Ａに接触した状態の第１制動部材７Ａを弾性変形させながら、傾倒阻止回転位置４０１から第１傾倒許容回転位置４０２Ａへ回転するときには、静止した状態の第２制動部材７Ｂが、接触制動片４１Ｃが回転してくるのを待ち受けている。そのため、回転体４が第１傾倒許容回転位置４０２Ａに回転したときには、上記静止した状態の第２制動部材７Ｂが、接触制動片４１Ｃを受け止めて回転体４の回転を制動することができる。
こうして、図３に示すごとく、入賞口２０の開状態２０２、すなわち一対の可動翼片２の傾倒状態２０２が形成され、また、球通路３内には、回転体４における第２接触駆動片４１Ｂが突出する。
【００４０】
次いで、開状態２０２の入賞口２０、すなわち傾倒状態２０２にある一対の可動翼片２同士の間に遊技球８が入ったときには、この遊技球８は、一旦各可動翼片２を起立させる方向に回動させながら一対の可動翼片２同士の間を通過し、球通路３へ流下する。このとき、球通路３内を流下する遊技球８は、回転体４における第２接触駆動片４１Ｂに接触し、回転体４を回転させながら流下する。
そして、図４に示すごとく、回転体４は、第１傾倒許容回転位置４０２Ａから第２傾倒許容回転位置４０２Ｂへ回転し、球通路３内には、回転体４における第１接触駆動片４１Ａが突出する。
【００４１】
また、図１１、図１２に示すごとく、回転体４が、接触制動片４１Ｃに接触した状態の第２制動部材７Ｂを弾性変形させながら第１傾倒許容回転位置４０２Ａから第２傾倒許容回転位置４０２Ｂへ回転するときには、静止した状態の第１制動部材７Ａが、第２接触駆動片４１Ｂが回転してくるのを待ち受けている。そのため、回転体４が第２傾倒許容回転位置４０２Ｂに回転したときには、上記静止した状態の第１制動部材７Ａが、第２接触駆動片４１Ｂを受け止めて回転体４の回転を制動することができる。
【００４２】
そして、図４に示すごとく、開状態２０２の入賞口２０に再び遊技球８が入ると、この遊技球８が第１接触駆動片４１Ａに接触して回転体４を回転させながら球通路３内を流下する。これにより、図１に示すごとく、回転体４が第２傾倒許容回転位置４０２Ｂから傾倒阻止回転位置４０１に復帰し、入賞口２０は開状態２０２から閉状態２０１になり、一対の可動翼片２は傾倒状態２０２から起立状態２０１に復帰する。
このようにして、一対の可動翼片２により形成された入賞口２０は、閉状態２０１と開状態２０２とを繰り返し形成することができ、遊技球入賞装置１は、繰り返し遊技球８を入賞させることができる。
【００４３】
上記のごとく、本例においては、複数の制動部材７Ａ、Ｂによって回転体４の回転を制動する構成にしたことにより、静止した状態の各制動部材７Ａ、Ｂが回転体４の回転を制動することができる。そのため、回転体４が勢いよく回転するような場合においても、この回転体４が所定の回転位置で止まることなく次の回転位置まで余分に回転してしまうことを防止することができる。
それ故、本例の遊技球入賞装置１によれば、複数の制動部材７Ａ、Ｂによって回転体４の回転位置の規制をより正確に行うことができる。
【００４４】
また、本例においては、上記接触片４１は、回転体４の周方向Ｒにおいて約１２０°間隔で３つ形成した。これに対し、接触片４１は、回転体４の周方向Ｒにおいて所定角度の間隔で４つ以上形成することもできる。
ところで、接触片４１の個数を増加させると、この増加の割合に応じて接触片４１間の周方向Ｒにおける間隔が狭くなり、回転体４が所定の回転位置で止まることなく次の回転位置まで余分に回転してしまうおそれが増加する。これに対し、本例においては、上記のごとく、複数の制動部材７によって、回転体４における接触片４１が回転してくることを待ち受ける構成にした。そのため、例えば、接触片４１の個数を４つ以上にした場合においても、複数の制動部材７は、回転体４の回転位置の規制を正確に行うことができる。
【００４５】
また、接触片４１の個数を４つ以上にした場合においても、制動部材７は、２つ形成しておき、各制動部材７が回転体４における接触片４１と交互に接触する構成にすることができる。この場合には、接触片４１を４つ以上にしたときても、２つだけの制動部材７によって、回転体４の回転位置の規制を正確に行うことができる。
【００４６】
また、遊技球入賞装置１は、遊技者の利益と密接に関わってくる機能を有するものである。すなわち、回転体４が所定の回転位置で止まることなく次の回転位置まで余分に回転してしまうと、上記開状態２０２にある入賞口２０（傾倒状態２０２にある一対の可動翼片２の間）に入る遊技球８の入賞回数が少なくなって遊技者の不利益となることがある。また、上記回転体４の余分な回転が生じると、入賞口２０が閉状態２０１を維持せずに（一対の可動翼片２が起立状態２０１を維持せずに）、開状態２０２になってしまい、回転体４の回転サイクルが直ちに次の回転サイクルを開始してしまい、想定した入賞数よりも多く入賞してしまって遊技店（遊技機の管理者）の不利益となることがある。
【００４７】
そのため、本例に示したように、一対の可動翼片２の起立及び傾倒の制御を行う回転体４の回転位置の規制を正確に行うことにより、遊技者への遊技球８の賞球数を正確に制御することが可能になる。これにより、遊技者と遊技店との間でのトラブルを未然に防ぐことが可能になる。
【００４８】
また、遊技球入賞装置１は、必ずしも一対の可動翼片２を有している必要はなく、１つの可動翼片２を有している場合もある。この場合においても、上記と同様の構成をとることができ、上記と同様の作用効果を得ることができる。
【図面の簡単な説明】
【００４９】
【図１】実施例における、回転体が傾倒阻止回転位置にある状態の遊技球入賞装置を示す断面説明図。
【図２】実施例における、回転体がレバー部材によって傾倒阻止回転位置から第１傾倒許容位置に回転している状態の遊技球入賞装置を示す断面説明図。
【図３】実施例における、回転体が第１傾倒許容回転位置にある状態の遊技球入賞装置を示す断面説明図。
【図４】実施例における、回転体が第２傾倒許容回転位置にある状態の遊技球入賞装置を示す断面説明図。
【図５】実施例における、一対の可動翼片が起立状態にある遊技球入賞装置を示す斜視図。
【図６】実施例における、一対の可動翼片が傾倒状態にある遊技球入賞装置を示す斜視図。
【図７】実施例における、遊技球入賞装置に配設された回転体の周辺を示す正面図。
【図８】実施例における、回転体及び制動部材を拡大して示す正面図。
【図９】実施例における、回転体及び制動部材を示す斜視図。
【図１０】実施例における、傾倒阻止回転位置にある回転体を示す図で、（ａ）回転体の第１領域部と第１制動部材とが対向する状態、（ｂ）回転体の第２領域部と第２制動部材とが対向する状態を模式的に示す説明図。
【図１１】実施例における、第１傾倒許容回転位置にある回転体を示す図で、（ａ）回転体の第１領域部と第１制動部材とが対向する状態、（ｂ）回転体の第２領域部と第２制動部材とが対向する状態を模式的に示す説明図。
【図１２】実施例における、第２傾倒許容回転位置にある回転体を示す図で、（ａ）回転体の第１領域部と第１制動部材とが対向する状態、（ｂ）回転体の第２領域部と第２制動部材とが対向する状態を模式的に示す説明図。
【符号の説明】
【００５０】
１  遊技球入賞装置
２  可動翼片
２０１  起立状態（閉状態）
２０２  傾倒状態（開状態）
２０  入賞口
２１  接触突出部
３  球通路
４  回転体
４０１  傾倒阻止回転位置
４０２  傾倒許容回転位置
４１Ａ  第１接触駆動片（接触片）
４１Ｂ  第２接触駆動片（接触片）
４１Ｃ  接触制動片（接触片）
４２  制御突出片
４５  軸方向領域部
４５Ａ  第１領域部
４５Ｂ  第２領域部
５  レバー部材
７Ａ  第１制動部材（板バネ）
７Ｂ  第２制動部材（板バネ）
８  遊技球
Ｒ  周方向
Ｌ  軸方向
【図１】
2006043059.tif 000003
【図２】
2006043059.tif 000004
【図３】
2006043059.tif 000005
【図４】
2006043059.tif 000006
【図５】
2006043059.tif 000007
【図６】
2006043059.tif 000008
【図７】
2006043059.tif 000009
【図８】
2006043059.tif 000010
【図９】
2006043059.tif 000011
【図１０】
2006043059.tif 000012
【図１１】
2006043059.tif 000013
【図１２】
2006043059.tif 000014